(57)【要約】【課題】本発明の課題は、ドラフト機構、スピンドルレール、等のような長手方向部材を止め金具で固定するための役割を果たす、リング精紡機のための直立の中間スタンド１を、できるだけ僅かな製造費用でもって、この中間スタンドが長手方向部材を異なる高さにおいて止め金具で固定可能であるように構成することである。【解決手段】中間スタンド１を、３つの部材、基体２、ドラフト機構担持体３、および２つのスピンドルレール保持体４から構成すること、それぞれに、ねじ留め面８、９、１０、１９、および２０に、多数の穿孔２２及び／またはねじ孔２３を備えることが行われ、これらによって、中間スタンドの構成要素が、床に対して、および全て整った中間スタンドに対する相互の関連において、異なる高さにおいて結合され得る。【選択図】　　　図１
2004027471.tif 000002
【特許請求の範囲】
【請求項１】
スピンドルレールおよびドラフト機構のような、水平方向の長手方向部材を止め金具で固定する、リング精紡機のための直立の多部材より成る中間スタンドにおいて、
中間スタンド（１）が、基体（２）、ドラフト機構（１３）を支承するためのドラフト機構担持体（３）、および、スピンドルレール（２１）を固定するため、および、垂直方向に移動可能な、リングレール、アンチバルーニングリング、移動するスレッドガイドのような作動機構ユニット用の案内ブッシュ（１８）を収容するための２つのスピンドルレール保持体（４）を備えており、その際、
基体、ドラフト機構担持体、および保持具が、互いに適合されたねじ留め面（８、９、１０、１９）および（２０）、並びに固定ねじのための穿孔（２２）、およびねじ孔（２３）を備えており、これらによって、ドラフト機構担持体および保持具が、基体における異なる高さにおいて固定可能であるように構成されていることを特徴とする直立の中間スタンド装置。
【請求項２】
基体（２）およびドラフト機構担持体（３）におけるドラフト機構担持体（３）のためのねじ留め面（８、１０）は、リング精紡機の長手方向に対して横方向に位置する面内において設けられていることを特徴とする請求項１に記載の直立の中間スタンド装置。
【請求項３】
基体（２）におけるスピンドルレール保持体（４）のため、および、スピンドルレール保持体におけるスピンドルレール（２１）のための、ねじ留め面（９、１９、２０）は、この基体と同様に、これらスピンドルレール保持体においても、リング精紡機の長手方向に位置する面内において設けられていることを特徴とする請求項１に記載の直立の中間スタンド装置。
【請求項４】
ねじ留め面（８、９、１０、１９）および（２０）内において、重なり合って、固定ねじのための多数の穿孔（２２）もしくはねじ孔（２３）が設けられており、これら穿孔もしくはねじ孔によって、ドラフト機構担持体（３）およびスピンドルレール保持体（４）、並びにスピンドルレール（２１）が、基体（２）における異なる高さにおいてねじ留め可能であるように構成されていることを特徴とする請求項１から３のいずれか一つに記載の直立の中間スタンド装置。
【請求項５】
穿孔（２２）およびねじ孔（２３）は、ねじ留め面の側面上において、周縁隆起部（２４）を備えており、これら周縁隆起部が、単独で、平坦に加工可能であるように構成されていることを特徴とする請求項４に記載の直立の中間スタンド装置。
【発明の詳細な説明】
【０００１】
【発明の属する技術分野】
本発明は、スピンドルレールおよびドラフト機構のような水平の長手方向部材を止め金具で固定する、リング精紡機のための直立の中間スタンドに関する。
【０００２】
【従来の技術】
この様式の中間スタンドによって担持されるドラフト機構、スピンドルレール、および他の構造部材は、特にチューブ長さに依存して、しかもまた、所望の精紡幾何学的形状（スピンドル尖端部と給糸ローラとの間の間隔、給糸ローラとスレッドガイドとの間の糸の糸走角度、等々）に依存して、異なる高さで装着されるべきである。１つの部材から成るような中間スタンドの場合、従って、多数の寸法バリエーションが必要であり、これら多数の寸法バリエーションは、鋳造素材でもっての貯蔵保持と同様に、異なる変形の加工をも困難にする。
【０００３】
ドイツ連邦共和国特許公開第３９　２１　２７４号明細書において、既に、ポリマーコンクリートから製造された中間スタンドが提案され、この中間スタンドの場合、それらに両方のスピンドルレールがねじ留め可能である横方向トラバースが、別個の部材として構成されている。この部材は、異なる高さで、この中間スタンドにねじ留めされ得る。ドラフト機構用打抜き加工部材のための受け面の高さは、しかしながら、不動に予め設定されている。それに加えて、この中間スタンドは、更に、クリール担持部を備えており、このクリール担持部が、この中間スタンドの可変性を、他方また制限する。
【０００４】
ドイツ連邦共和国特許公開第３７　２０　６３１号明細書は、金属薄板部材として形成された中間スタンドを開示しており、この中間スタンドの場合、スピンドルレールを収容する横方向トラバースが、別個の鋳造部材として構成されている。同様にドラフト機構担持体も、別個の部材として構成されており、且つ、横方向トラバースのように、中間スタンドとねじ留めされる。中間スタンドにおける異なる高さでのこれら取り付け部材の装着は、しかしながら、行われていない。
【０００５】
ドイツ連邦共和国特許公開第４３　１９　９５９号明細書は、精紡機または撚糸機のための中間保護板を開示しており、この中間保護板が一部材の鋳造保護板として形成されている。この中間保護板に、機械の長手方向に指向する、スピンドルレール、ケーブル通路、またはレールのようなトラバース材がねじ留めされている。例えば機械長手方向に対して横方向に位置し中間保護板にねじ留め可能な横方向トラバースにおける、異なる高さでの長手方向トラバース材を装着するための可能性は、講じられていない。
【０００６】
同様にドイツ連邦共和国特許公開第１　１０９　０６３号明細書は、撚糸機または精紡機のための、鋳造部材として製造された中間フレームを示しており、この中間フレームに、全ての支承部材が固定されており、これら支承部材が、機械全体にわたって引き通される部材の支承部として使用される。高さ調節可能な横方向トラバースは、このことのために設けられていない。
【０００７】
【発明が解決しようとする課題】
従って、本発明の課題は、信頼性のある方法で、鋳物から製造されるべき中間スタンドを、３つの異なる構成要素より多くない１セットでもって、これら中間スタンドが製造可能であり、これら中間スタンドにおいて、底面、スピンドルレール、およびドラフト機構の間の、全ての所定のスパンにおける所望の間隔が、達成可能であるように、多数の部材から成る状態で形成することである。
【０００８】
【課題を解決するための手段】
この課題は、主請求項の特徴部において挙げられた特徴によって解決される。保持具のための中間スタンドの基体のねじ留め面において、これら保持具、および従って、スピンドルレールは、所定の高さにおいて固定される。このことに依存せずに、ドラフト機構担持体のための中間スタンドの基体のねじ留め面において、同様にこのドラフト機構担持体、および従って、ドラフト機構が、所望の高さにおいて固定される。
【０００９】
本発明の実施例が図に示されており、次に、これら図を参照して本発明の実施の形態を詳しく説明する。
【００１０】
【発明の実施の形態】
図１および２から見て取れるように、本発明による中間スタンド１は、基体２、ドラフト機構担持体３、および２つのスピンドルレール保持体４を備えている。
【００１１】
図３から詳細に読み取れるように、この基体２は、２つの脚部５、および２つの、この基体の面に対して垂直方向に位置しているねじ留め板６を有している。この基体は、有利には、鋳造部材として製造されており、一方の側面に補強リブ７を有している。この基体の他方の側面は、扁平なねじ留め面８として形成されている。これらねじ留め板６の外側のねじ留め面９は、平坦に加工されている。
【００１２】
図４のドラフト機構担持体３は、基体２の場合におけると同様に、有利には、鋳造部材として製造されており、且つ、一方の側面に補強リブ７を有している。このドラフト機構担持体の他方の側面は、ねじ留め面１０として、扁平である。このドラフト機構担持体の上側の端部において、ドラフト機構担持体３は、軸受け金１１を有しており、これら軸受け金内に、ドラフト機構１３の打抜き加工部材１２を担持するドラフト機構ロッド１４が収納されている。下側の領域において、軸受けアングル部材１５が附設して形成されており、これら軸受けアングル部材は、ここで図示されていないアンチバルーニングリングおよび移動するスレッドガイドための、往復動ローラ１７の軸１６の軸受けを収容している。
【００１３】
図５のスピンドルレール保持体４は、アンチバルーニングリングおよび移動するスレッドガイド、並びにリングレールの往復動ロッドための案内ブッシュ１８を備えている。同様にリングレールのための引張りベルトの往復動ローラ１７′のための軸受けも、このスピンドルレール保持体に固定されている。この保持体４の鋳造体は、この内側面に、基体２のねじ留め板６に対する正確な当接のためのねじ留め面１９を、および、スピンドルレール２１をねじ留めするために配置されている外側のねじ留め面２０を有しており、且つ、これら両方の面が、平坦に加工されている。
【００１４】
全てのねじ留め面８、９、１９、および２０は、固定ねじの貫通挿入もしくはねじ込みのための多数の穿孔２２、もしくはねじ孔２３を備えている。このようにして、ドラフト機構担持体３、および従ってドラフト機構１３と同様に、スピンドルレール保持体４、およびこのスピンドルレール保持体を介してスピンドルレール２１も、基体２における異なる高さに固定すること、および従って、これらの相互の間隔および床上方の高さを選択することが可能である。従って、図１は、１つの中間スタンド１を示しており、この中間スタンドの場合、ドラフト機構担持体３と同様に、スピンドルレール保持体４も、できるだけ僅かの高さにおいて組付けられている。床上方の、スピンドルレール２１の高さＨ１、およびドラフト機構１３の給糸ローラの高さＨ２、およびこれらの相互の間隔は、それに応じて、このことが、限界において達成しようとされているほどに僅かである。それに対して、図２は、１つの中間スタンド１を示しており、この中間スタンドの場合、基体２の取り付け部材３および４が、床からの最も大きな間隔、および相互の間隔を有している。同様に両方の取り付け部材の中間状態も、相互に依存せずに可能であることは、自明なことである。
【００１５】
特に、基体２もしくはドラフト機構担持体３における、ねじ留め面８および１０は、大きな面積である。全体的な面を平坦に加工する必要が無いために、穿孔２２およびねじ孔２３が、少なくともこれらの部分で、ねじ留め面の側面上で、周縁隆起部２４を備えており、これら周縁隆起部が、単独で平坦に加工されている。組み付けられた状態において、その場合に、それぞれに、ただ平坦に加工された周縁隆起部２４が、積み重なっているだけである。
【００１６】
本発明による構造様式は、中間スタンド１の３つの構成要素、即ち基体２、ドラフト機構担持体３、およびスピンドルレール保持体４を、経済的な「在庫の」ロットサイズにおいて、常に同じ仕様で製造すること、および、これら構成要素から、必要に応じて待つこと無しに、製造部材へと、異なる寸法の中間スタンドを組み付けることを許容する。
【図面の簡単な説明】
【図１】止め金具で固定された部材の最も僅かな高さでの、組み付けられた中間スタンドの図である。
【図２】止め金具で固定された部材の最も高い高さでの、組み付けられた中間スタンドの図である。
【図３】基体の立体的な図である。
【図４】ドラフト機構担持体の立体的な図である。
【図５】スピンドルレール保持体の立体的な図である。
【符号の説明】
１　　中間スタンド
２　　基体
３　　ドラフト機構担持体
４　　スピンドルレール保持体
５　　脚部
６　　ねじ留め板
７　　補強リブ
８　　基体のねじ留め面
９　　ねじ留め板のねじ留め面
１０　ドラフト機構担持体のねじ留め面
１１　軸受け金
１２　打抜き加工部材
１３　ドラフト機構
１４　ドラフト機構ロッド
１５　軸受けアングル部材
１６　往復動ローラの軸
１７、１７′　往復動ローラ
１８　案内ブッシュ
１９　スピンドルレール保持体の内側のねじ留め面
２０　スピンドルレール保持体の外側のねじ留め面
２１　スピンドルレール
２２　穿孔
２３　ねじ孔
２４　周縁隆起部
【図１】
2004027471.tif 000003
【図２】
2004027471.tif 000004
【図３】
2004027471.tif 000005
【図４】
2004027471.tif 000006
【図５】
2004027471.tif 000007